(57)【要約】【課題】内部が視認可能な軸筒内に着脱交換可能な加飾シート材をたわみやしわなどを発生させることなく位置ズレせずに容易に装着でき、加飾シート材を交換する時は、器具などを使用せずに加飾シート材を容易に取り出し別のシート材と交換することができる筆記具を提供する。【解決手段】視認可能な外筒と内筒とで形成した二重構造の軸筒の前記外筒と前記内筒の空間に着脱可能な装飾シート材を具備した筆記具において、前記シート材の一端側が当接する第一係止部を形成するとともに、前記シート材の他端側が当接する第二係止部を形成した筆記具である。【選択図】図１
2008044303.tif 000002
【特許請求の範囲】
【請求項１】
視認可能な外筒と内筒とで形成した二重構造の軸筒の前記外筒と前記内筒の空間に着脱可能な装飾シート材を具備した筆記具において、前記シート材の一端側が当接する第一係止部を形成するとともに、前記シート材の他端側が当接する第二係止部を形成したことを特徴とする筆記具。
【請求項２】
視認可能な外筒と内筒とで形成した二重構造の軸筒の前記外筒と前記内筒の空間に着脱可能な装飾シート材を具備した筆記具において、前記内筒には装飾シート材の挟み込みが容易となる板状のクリップ部を設け、前記クリップ部へ前記シート材を挟み込み前記空間へ設置したことを特徴とする筆記具。
【請求項３】
前記第二係止部の近傍の前記内筒側面円周に突起部を設けたことを特徴とする請求項１に記載の筆記具。
【請求項４】
前記第一係止部の近傍の前記外筒内面円周にハの字形状となるテーパー部を設けたことを特徴とする請求項１に記載の筆記具。
【請求項５】
前記外筒の内周面に複数個の突出したリブ部を設けたことを特徴とする請求項１に記載の筆記具。
【請求項６】
前記内筒の外周面に梨地加工を施したことを特徴とする請求項１乃至請求項５に記載の筆記具。
【請求項７】
前記外筒の内周面に梨地加工を施したことを特徴とする請求項１及び請求項３乃至請求項５に記載の筆記具。
【発明の詳細な説明】
【技術分野】
【０００１】
本発明は、内部が透視可能な外筒内に設けられた内筒に加飾物を固定した筆記具に関するものである。
【背景技術】
【０００２】
軸筒内の機構による動作を阻害することなく、着脱可能な装飾部材を配設することができ、同装飾部材を軸筒内にフィットさせて、美観を向上した筆記具として、特許文献１に記載の内部が視認可能な外筒と該外筒内の内筒とからなる二重筒状に構成された軸筒の、外筒と内筒との間に形成された筒状空間部に着脱可能な装飾部材を配設できる筆記具の提案がされている。
【０００３】
また、内部が透視可能な外軸内に設けられた内軸に加飾物を固定した筆記具として、特許文献２に記載の外軸に設けられた内軸に熱収縮性フィルムおよび加飾物を容易に外したり取り付けることができ、使用者が任意に加飾物を交換して内軸に固定できる筆記具が提案されている。
【０００４】
【特許文献１】特開２００４−１３０６２５号公報
【特許文献２】特開２００５−３３５３６２号公報
【発明の開示】
【発明が解決しようとする課題】
【０００５】
特許文献１に記載の筆記具では、内筒の外周面の後端側に周方向で突部を配設させ、前記突部の頂部を装飾部材の内周面に当接させることで、装飾部材の軸方向及び周方向の滑りとガタつきを防止する効果は有するが、装飾部材を軸筒内へ設置するときに、装飾部材を内筒に巻きつかせる場合、装飾部材をゆがまずに巻きつかせて設置させる行為が手間であり、何度もやり直しを行わなければいけない。また、装飾部材を別のものに入れ替えをする場合に、細い軸筒の中に入り込んだ装飾部材を取り出すためには、ピンセットなどの器具を使用する必要があり、簡単に装飾部材の交換ができるとは言いがたいものである。
【０００６】
更に、特許文献２に記載の筆記具では、軸筒内に設置する装飾物を固定するために、内軸に装飾物を巻きつけて、その上から熱収縮性フィルムを被せドライヤーなどを利用して熱収縮性フィルムを収縮させ内筒に固着しなければいけないため、装飾部材をゆがまずに巻きつかせるのが困難である上、ドライヤーなどの器具を使用する手間がある。
【０００７】
本発明の目的は、上記課題を解決し、内部が視認可能な軸筒内に着脱交換可能な加飾シート材をしわやたわみ、ねじれなどを発生させることなく位置ズレせずに容易に装着でき、加飾シート材を交換する時は、器具などを使用せずに加飾シート材を容易に取り出せ、別のシート材と交換することができる筆記具を提供することである。
【課題を解決するための手段】
【０００８】
本発明は、視認可能な外筒と内筒とで形成した二重構造の軸筒の前記外筒と前記内筒の空間に着脱可能な装飾シート材を具備した筆記具において、前記シート材の一端側が当接する第一係止部を形成するとともに、前記シート材の他端側が当接する第二係止部を形成した筆記具である。
【０００９】
本発明は、視認可能な外筒と内筒とで形成した二重構造の軸筒の前記外筒と前記内筒の空間に着脱可能な装飾シート材を具備した筆記具において、前記内筒には装飾シート材の挟み込みが容易となる板状のクリップ部を設け、前記クリップ部へ前記シート材を挟み込み前記空間へ設置した筆記具である。
【００１０】
本発明は、前記第二係止部の近傍の前記内筒側面円周に突起部を設けた筆記具である。
【００１１】
本発明は、前記第一係止部の近傍の前記外筒内面円周にハの字形状となるテーパー部を設けた筆記具である。
【００１２】
本発明は、前記外筒の内周面に複数個の突出したリブ部を設けた筆記具である。
【００１３】
本発明は、前記内筒の外周面に梨地加工を施した筆記具である。
【００１４】
本発明は、前記外筒の内周面に梨地加工を施した筆記具である。
【発明の効果】
【００１５】
本発明は、視認可能な外筒と内筒とで形成した二重構造の軸筒の前記外筒と前記内筒の空間に着脱可能な装飾シート材を具備した筆記具において、前記シート材の一端側が当接する第一係止部を形成するとともに、前記シート材の他端側が当接する第二係止部を形成した筆記具であるので、内部が視認可能な軸筒内に着脱交換可能な加飾シート材をしわやたわみ、ねじれなどを発生させることなく位置ズレせずに容易に装着することができる筆記具である。
【００１６】
更に、本発明は、視認可能な外筒と内筒とで形成した二重構造の軸筒の前記外筒と前記内筒の空間に着脱可能な装飾シート材を具備した筆記具において、前記内筒には装飾シート材の挟み込みが容易となる板状のクリップ部を設け、前記クリップ部へ前記シート材を挟み込み前記空間へ設置した筆記具であるので、内部が視認可能な軸筒内に着脱交換可能な加飾シート材をしわやたわみ、ねじれなどを発生させることなく位置ズレせずに容易に装着することができる筆記具である。また、加飾シート材を交換する時は、シート材はクリップ部に挟まった状態になるため、器具を使用せずに加飾シート材を容易に取り出せ、別のシート材と交換することができる筆記具である。
【００１７】
更に、本発明は、前記第二係止部の近傍の前記内筒側面円周に突起部を設けた筆記具であるので、加飾シート材を交換する時は、シート材の他端側が突起部に引っかかる作用を有するため、器具を使用せずに加飾シート材を容易に取り出せ、別のシート材と交換することができる筆記具である。
【００１８】
また、前記第一係止部の近傍の前記外筒内面円周にハの字形状となるテーパー部を設けた筆記具であるので、加飾シート材を交換する時は、器具を使用せずにシート材をテーパー部から手指で容易につまみだせ、別のシート材と交換することができる筆記具である。
【００１９】
更に、本発明は、前記外筒の内周面に複数個の突出したリブ部を設けた筆記具であるので、リブ部がシート材との密着性を防止する作用を有するため、加飾シート材を交換する時は器具を使用せずにシート材を引き出すことができ、手指で容易につまみだせ別のシート材と交換することができる筆記具である。
【００２０】
また、本発明は、前記内筒の外周面に梨地加工を施した筆記具であるので、加飾シート材を交換する時は、梨地加工された面とシート材の接する面の滑り止め作用を有するため、内部が視認可能な軸筒内に着脱交換可能な加飾シート材をしわやたわみ、ねじれなどを発生させることなく位置ズレせずに容易に装着することができ、更に、器具を使用せずに加飾シート材を手指で容易につまみだせ別のシート材と交換することができる筆記具である。
【００２１】
また、本発明は、前記外筒の内周面に梨地加工を施した筆記具であるので、加飾シート材を交換する時は、梨地加工された面とシート材の接する面の密着性を弱める作用を有するため、器具を使用せずに加飾シート材を容易に取り出せ、別のシート材と交換することができる筆記具である。
【発明を実施するための最良の形態】
【００２２】
図１乃至図２において、本発明は、視認可能な透明や半透明で成形されたポリスチレンなどのプラスチック成形品でできた外筒２と、プラスチック成形品などでできた内筒３とで形成した二重構造の軸筒１をもつ先栓１０と芯９などから構成されるボールペンやシャーペンなどの筆記具Ａである。前記外筒２と前記内筒３の空間には着脱可能な紙やフィルムなどの装飾シート材４を設置できる空間部５が設けられている。前記空間部５内には、前記シート材４の一端側が当接する第一係止部６と前記シート材４の他端側が当接する第二係止部７が形成されている。
【００２３】
前記空間部５内に前記シート材４を設置する場合、まず、空間部５内に収まるサイズにカットした図３の装飾シート材４を用意する。前記シート材４の画像については、ボールペンやシャーペンなどを販売する販売元や製造元がインターネットなどを活用してホームページに掲示し、ユーザーへ画像をダウンロードさせるサービスを提供したり、ユーザー自身が本や雑誌などから好きな写真やイラストを切り抜いて使用することができる。
【００２４】
前記第二係止部７を外筒２内に設けた状態を図４に示す。前記第二係止部７については、前記外筒２の内周面より内側となる段差を内周面全周、もしくは複数個設置する。
【００２５】
図５において、外筒２へ前記シート材４を丸めて前記外筒２内に挿入する状態を示す。前記外筒２へ前記シート材４を丸めて前記外筒２内に挿入すると、前記シート材４はまっすぐ戻ろうとする力が働き前記外筒２の内面に貼りついた状態となる。この時、前記シート材４が接する面である前記外筒２の内周面に凹凸からなる梨地加工を施すことで、外筒２内周面の密着性を弱める作用が働き、より前記シート材４が取り出しやすくなる。
【００２６】
図６において、前記外筒２の内径に前記内筒３を挿入ことで、前記シート材４の一端側は、前記内筒３の外周に設置された突出した段差を有する第一係止部６に当接し、前記第一係止部６の反対位置であり前記シート材４の他端側の外筒２内に設置された突出した段差を有する第二係止部７で当接される。そのため、前記シート材４が仮にねじれた状態で前記外筒２の内面に貼りついていても、前記シート材４は前記第一係止部６と前記第二係止部７に挟まれ当接しあうため、前記空間部５内にしわやたわみ、ねじれなどを発生させることなく収納することできる。
【００２７】
本発明の異なる第２の実施形態を図７乃至図１１に基づいて説明する。本発明は、視認可能な透明や半透明で成形されたポリスチレンなどのプラスチック成形品でできた外筒２と、プラスチック成形品などでできた内筒３とで形成した二重構造の軸筒１ａをもつ先栓１０と芯９などから構成されるボールペンやシャーペンなどの筆記具Ａである。前記外筒２と前記内筒３の空間には着脱可能な紙やフィルムなどの装飾シート材４を設置できる空間部５が設けられている。前記空間部５内には、前記シート材４の一端側が当接する第一係止部６と前記シート材４の他端側が当接する突起部８が形成されている。
【００２８】
前記第二係止部７の近傍の前記内筒３側面円周に曲面を有する図８に示す突起部８を設置することで、図９に示すとおり加飾シート材４が挿入された状態の前記外筒２内に前記内筒３を挿入して設置した場合に、前記シート材４は球面形状である前記突起部８を乗り越えたのち、前記シート材４は前記第一係止部６と突起部８に挟まれ当接しあうことで、前記空間部５内にしわやたわみ、ねじれなどを発生させることなく収納することできる。
【００２９】
また、前記シート材４を交換する場合は図１０に示すとおり、先栓１０を取り外したのち、前記外筒２を引き抜いて前記内筒３から分離させるが、前記外筒２内面に貼りついていた前記シート材４の他端側は、図１１に示すとおり前記突起部８に引っかかることで前記内筒３側に残り、前記シート材４を容易に取り出すことができる。前記突起部８の形状については、前記外筒２と内筒３を設置する際に挿入する側に面する突起部８の側面は球面形状とすることで前記シート材４が突起部８を乗り越え易くし、また、前記外筒２を内筒３から引き抜いて外す時の前記シート材４が引っかかる側に面する突起部８の側面は、引っかかりが容易となるように前記内筒３と垂直となる側面を形成している。
【００３０】
本発明の異なる第３の実施形態を図１２乃至図１４に基づいて説明する。本発明は、視認可能な透明や半透明で成形されたポリスチレンなどのプラスチック成形品でできた外筒２ａと、プラスチック成形品などでできた内筒３ａとで形成した二重構造の軸筒１ｂをもつ先栓１０と芯９などから構成されるボールペンやシャーペンなどの筆記具Ａである。前記外筒２ａと内筒３ａの空間には着脱可能な紙やフィルムなどの装飾シート材４を設置できる空間部５が設けられている。前記空間部５内には、前記シート材４の一端側が前記内筒３ａの外周面に突出した段差を有する第一係止部６と前記シート材４の他端側が前記内筒３ａの外周面に突出した段差を有する第二係止部７ａが形成され、前記シート材４は第一係止部６と第二係止部７に挟まれて当接しあう。
【００３１】
前記空間部５内に前記シート材４を設置する場合、まず、空間部５内に収まるサイズにカットした装飾シート材４を用意し、図１３に示すとおり、前記シート材４を前記内筒３ａに巻きつかせた状態で、前記外筒２ａ内に挿入することで、前記第一係止部６と前記第二係止部７ａに挟まれたシート材４は前記空間部５内の前記外筒２ａ内面に貼りつき収納することできる。また、前記内筒３ａの外周面に凹凸形状の梨地加工を施すことで、梨地加工された面とシート材４の接する面の滑り止め作用を有することができ、前記内筒３ａへ前記シート材４の巻きつきを容易できる。
【００３２】
前記シート材４を交換する際は、図１４に示すとおり先栓１０を取り外したのち、前記外筒２ａを引き抜くと前記外筒２ａ内面に貼りついていた前記シート材４の一端側は、前記第二係止部７ａに引っかかることで前記内筒３ａ側に残り前記シート材４を容易に取り出すことができる。また、前記内筒３ａの外周面に施した梨地加工の作用で、前記内筒３ａの外面とシート材４の接する面の滑り止め作用を有するため、前記シート材４は内筒３ａ側に確実に残る。
【００３３】
本発明の異なる第４の実施形態を図１５及び図１６に基づいて説明する。本発明は、視認可能な透明や半透明で成形されたポリスチレンなどのプラスチック成形品でできた外筒２ｂと、プラスチック成形品などでできた内筒３とで形成した二重構造の軸筒１ｃをもつ先栓１０と芯９などから構成されるボールペンやシャーペンなどの筆記具Ａである。前記外筒２ｂと前記内筒３の空間には着脱可能な紙やフィルムなどの装飾シート材４を設置できる空間部５が設けられている。前記空間部５内には、前記シート材４の一端側が前記内筒３の外周面に突出した段差を有する第一係止部６と前記シート材４の他端側が前記外筒２ｂの内周面に突出した段差を有する第二係止部７が形成され、前記シート材４は第一係止部６と第二係止部７に挟まれて当接しあう。
【００３４】
また、前記空間部５内であって、前記第一係止部６の近傍の前記外筒２ｂ内面円周にハの字形状となるテーパー部１１を形成することで、前記シート材４を手指でつまみ出す付近の前記外筒２ｂ内面に前記シート材４が密着せず浮き上がった状態の第２空間部５ａが設置されるため、前記シート材４を手指で容易につまみ出すことができる。
【００３５】
前記空間部５内に前記シート材４を設置する場合、まず、空間部５内に収まるサイズにカットした装飾シート材４を用意し、図１６に示すとおり、前記外筒２ｂへ前記シート材４を丸めて前記外筒２ｂ内に挿入する。前記シート材４はまっすぐ戻ろうとする力が働き前記外筒２ｂの内面に貼りついた状態となる。そのため、前記シート材４が仮にねじれた状態で前記外筒２ｂの内面に貼りついていても、前記シート材４は前記第一係止部６と前記第二係止部７に挟まれ当接しあうため、前記空間部５内にしわやたわみ、ねじれなどを発生させることなく収納することできる。
【００３６】
前記シート材４を交換する場合は、先栓１０を取り外したのち、前記外筒２ｂを引き抜いて前記内筒３から分離させると前記外筒２ｂ内面に前記シート材４が貼りついていた状態で分離される。前記外筒２ｂは、ハの字形状となる前記テーパー部１１から前記シート材４を手指で簡単につまみ出すことができる。また、前記第一係止部６の近傍の前記外筒２ｂ内面円周はハの字形状に限定されるものではなく、手指でつまみ出せるように前記シート材４が浮き上がるための第２空間部５ａが設けられていれば同様の効果を有することができる。更に、前記シート材４の取り出しを容易にするため、前記外筒２ｂ内周面の前記シート材４が接する面に、凹凸形状の梨地加工を施すことにより密着性を防ぎ、前記外筒２ｂを引き抜いて前記内筒３から分離させた時に、前記シート材４の一部が外へ引っぱり出され、手指で前記シート材４をよりつまみ出しやすくなる効果を有する。また、前記内筒３の外周面の前記シート材４が接する面に、凹凸形状の梨地加工を施すことにより滑り止め作用が働き、前記外筒２ｂを引き抜いて前記内筒３から分離させた時に、前記シート材４の一部が外へ引っぱり出され、手指で前記シート材４をよりつまみ出しやすくなる効果を有する。
【００３７】
本発明の異なる第５の実施形態を図１７及び図１９に基づいて説明する。本発明は、視認可能な透明や半透明で成形されたポリスチレンなどのプラスチック成形品でできた外筒２ｃと、プラスチック成形品などでできた内筒３とで形成した二重構造の軸筒１ｄをもつ先栓１０と芯９などから構成されるボールペンやシャーペンなどの筆記具Ａである。前記外筒２ｃと前記内筒３の空間には着脱可能な紙やフィルムなどの装飾シート材４を設置できる空間部５が設けられている。前記空間部５内には、前記シート材４の一端側が前記内筒３の外周面に突出した段差を有する第一係止部６と前記シート材４の他端側が前記外筒２ｃの内周面に突出した段差を有する第二係止部７が形成され、前記シート材４は第一係止部６と第二係止部７に挟まれて当接しあう。
【００３８】
図１８及び図１９において、前記外筒２ｃ内に、第二係止部７の突出よりも内側で前記外筒２ｃの内周面よりも突出した凸形状からなる２つ以上のリブ部１２を設けることで、前記外筒２ｃの内周面に対して前記シート材４の密着性を防ぐことができ、前記外筒２ｂを引き抜いて前記内筒３から分離させた時に、前記シート材４の一部が外へ引っぱり出され、手指で前記シート材４をよりつまみ出しやすくなる効果を有する。
【００３９】
前記空間部５内に前記シート材４を設置する場合、まず、空間部５内に収まるサイズにカットした装飾シート材４を用意し、前記外筒２ｃへ前記シート材４を丸めて前記外筒２ｃ内に挿入する。前記シート材４はまっすぐ戻ろうとする力が働き前記外筒２ｂの内面に貼りついた状態となる。そのため、前記シート材４が仮にねじれた状態で前記外筒２ｃの内面に貼りついていても、前記シート材４は前記第一係止部６と前記第二係止部７に挟まれ当接しあうため、前記空間部５内にしわやたわみ、ねじれなどを発生させることなく収納することできる。
【００４０】
前記外筒２ｃの内周面に複数個の突出したリブ部１２が形成してあるため、前記シート材４が外筒２ｃの内面に貼りついている部分は、前記リブ部１２と接する面であるので、前記シート材４を交換する場合は、先栓１０を取り外したのち、前記外筒２ｃを引き抜いて前記内筒３から分離させようとすると、前記外筒２ｃ内に収納されていたシート材４は内筒３との摩擦により一部が外へ引き出されてしまうので、手指を使用して容易にシート材４をつまみ出すことができる。
【００４１】
また、前記シート材４の取り出しを容易にするため、前記内筒３の外周面の前記シート材４が接する面に凹凸形状の梨地加工を施すことにより、突出した前記リブ部１２によって押された前記シート材４は、梨地加工が施された前記内筒３外周面に接することで前記シート材４の滑りを軽減させ、前記外筒２ｃを引き抜いて前記内筒３から分離させた時に前記シート材４の一部をより外へ引っぱり出し手指で前記シート材４をつまみ出しやすくなる効果を増すことができる。更に、前記リブ部１２の表面に凹凸形状の梨地加工を施すことにより、シート材４の密着性を防ぐことができるので、前記外筒２ｃを引き抜いて前記内筒３から分離させた時に前記シート材４の一部をより外へ引っぱり出し手指で前記シート材４をつまみ出しやすくなる効果を増すことができる。
【００４２】
本発明の異なる第６の実施形態を図２０乃至図２４に基づいて説明する。本発明は、視認可能な透明や半透明で成形されたポリスチレンなどのプラスチック成形品でできた外筒２ｄと、プラスチック成形品などでできた内筒３ｂとで形成した二重構造の軸筒１ｅをもつ先栓１０と芯９などから構成されるボールペンやシャーペンなどの筆記具Ａである。前記内筒２ｄには装飾シート材４の挟み込みが容易となる板状のクリップ部１３を設け、前記クリップ部１３へ前記シート材４を挟み込み、前記空間部５内へ設置した筆記具Ａである。
【００４３】
前記空間部５内に前記シート材４を設置する場合、まず、空間部５内に収まるサイズにカットした装飾シート材４を用意し、図２２及に示すとおり前記クリップ部１３へ前記シート材４を円筒状に丸めてから挟みこむ。次に、前記内筒３ｂに設置した際に図２３及び図２４に示すとおり前記クリップ部１３に沿う形状に形成したテーパー部１１ａをもつ前記外筒２ｄの内径に前記内筒３ｂを挿入し設置することで、前記空間部５内にしわやたわみ、ねじれなどを発生させることなく収納することできる。また、前記内筒３ｂの外周面に凹凸形状の梨地加工を施すことで、梨地加工された面とシート材４の接する面の滑り止め作用を有することができ、前記クリップ部１３に挟みこまれた前記シート材４の滑りを抑えることができ、より安定的に前記クリップ部１３に前記シート材４を装着することができる。
【００４４】
前記シート材４を交換する際は、先栓１０を取り外したのち、前記外筒２ｄを引き抜くと前記クリップ部１３に前記シート材４は挟みこまれているので、前記シート材４を手指で摘んで容易に取り出し別の加飾シート材４へ差し替えすることができる。
【図面の簡単な説明】
【００４５】
【図１】本発明の実施形態である筆記具を示す断面図である。
【図２】同実施形態の軸筒周辺を示す断面図である。
【図３】同実施形態のシート材の平面図である。
【図４】同実施形態の外筒の断面図である。
【図５】同実施形態の組み立て方法１を示す断面図である。
【図６】同実施形態の組み立て方法２を示す断面図である。
【図７】本発明の第２の実施形態である筆記具を示す断面図である。
【図８】図７の突起部周辺を示す断面図である。
【図９】図７の組み立て方法を示す断面図である。
【図１０】図７のシート材を取り出す方法１示す断面図である。
【図１１】図７のシート材を取り出す方法２を示す断面図である。
【図１２】本発明の第３の実施形態である筆記具を示す断面図である。
【図１３】図１２の組み立て方法１を示す断面図である。
【図１４】図１２の組み立て方法２を示す断面図である。
【図１５】本発明の第４の実施形態である筆記具を示す断面図である。
【図１６】図１５のシート材を取り出す方法を示す断面図である。
【図１７】本発明の第５の実施形態である筆記具を示す断面図である。
【図１８】図１７の外筒の断面図である。
【図１９】図１７の外筒の平面図である。
【図２０】本発明の第６の実施形態である筆記具を示す断面図である。
【図２１】図２０のクリップ部周辺を示す断面図である。
【図２２】図２１のクリップ部にシート材を設置した断面図である。
【図２３】図２０の外筒の断面図である。
【図２４】図２０の外筒の平面図である。
【００４６】
１        軸筒
１ａ      軸筒
１ｂ      軸筒
１ｃ      軸筒
１ｄ      軸筒
１ｅ      軸筒
２        外筒
２ａ      外筒
２ｂ      外筒
２ｃ      外筒
２ｄ      外筒
３        内筒
３ａ      内筒
３ｂ      内筒
４        シート材      
５        空間部
５a       第２空間部
６        第一係止部
７        第二係止部
７ａ      第二係止部
８        突起部
９        芯
１０      先栓
１１      テーパー部
１１ａ    テーパー部
１２      リブ部
１３      クリップ部
Ａ        筆記具
【図１】
2008044303.tif 000003
【図２】
2008044303.tif 000004
【図３】
2008044303.tif 000005
【図４】
2008044303.tif 000006
【図５】
2008044303.tif 000007
【図６】
2008044303.tif 000008
【図７】
2008044303.tif 000009
【図８】
2008044303.tif 000010
【図９】
2008044303.tif 000011
【図１０】
2008044303.tif 000012
【図１１】
2008044303.tif 000013
【図１２】
2008044303.tif 000014
【図１３】
2008044303.tif 000015
【図１４】
2008044303.tif 000016
【図１５】
2008044303.tif 000017
【図１６】
2008044303.tif 000018
【図１７】
2008044303.tif 000019
【図１８】
2008044303.tif 000020
【図１９】
2008044303.tif 000021
【図２０】
2008044303.tif 000022
【図２１】
2008044303.tif 000023
【図２２】
2008044303.tif 000024
【図２３】
2008044303.tif 000025
【図２４】
2008044303.tif 000026